(57)【特許請求の範囲】
【請求項１】
耐火建築物からなる集合住宅における各住戸の玄関の構造であって、
前記各住戸の玄関室に対応する玄関部外壁には、入出用開口部と、採光用開口部が設けられ、
前記入出用開口部と前記採光用開口部とは、水平方向に所定の間隔をおいて隣接して設けられ、
前記入出用開口部には、鉄板を用いた玄関ドアが設置され、
前記採光用開口部には、採光用のガラス板及び金属枠構成部を有する採光窓が設置されており、
前記玄関部外壁における内面側には、前記玄関ドアと前記採光窓との間に、当該玄関ドアと採光窓とが一体的な形状を呈することとなるように形成された化粧板が設置されている
ことを特徴とする集合住宅における各住戸の玄関の構造。
【請求項２】
前記玄関ドアが、前記入出用開口部の内縁部に沿うように設置されたドア枠に取り付けられ、
前記採光窓が、前記採光用開口部の内縁部に沿うように設置された支持枠に取り付けられ、
前記ドア枠の垂直部材の一方と前記支持枠の垂直部材の一方とが隣接しており、
前記玄関部外壁における内面側には、隣接する前記ドア枠の垂直材と前記支持枠の垂直部材に前記化粧板が設置されており、
前記玄関部外壁における外面側には、隣接する前記ドア枠の垂直材と前記支持枠の垂直部材に前記化粧板が設置されていない
ことを特徴とする請求項１に記載の集合住宅における各住戸の玄関の構造。
【請求項３】
前記化粧板は、金属板によって形成されていることを特徴とする請求項１又は２に記載の集合住宅における各住戸の玄関の構造。
【請求項４】
前記ガラス板は、板状ガラス素材の間に樹脂製フィルムが挟み込まれ、玄関室内への視認性を制限すべく透明性が低減された防火・防犯合せ複層ガラス板が用いられていることを特徴とする請求項１〜３の何れかに記載の集合住宅における各住戸の玄関の構造。
【請求項５】
前記ガラス板は、前記金属枠構成部に直接的に設けられていることを特徴とする請求項１〜４の何れかに記載の集合住宅における各住戸の玄関の構造。
【請求項６】
前記金属枠構成部には、通気口が形成され、
前記採光窓は、前記通気口を開閉する通気用採光窓部が備えられた構成になっており、
前記ガラス板は、前記通気用採光窓部に設けられることにより、前記金属枠構成部に間接的に設けられていることを特徴とする請求項１〜５の何れかに記載の集合住宅における各住戸の玄関の構造。
【請求項７】
前記通気口は、上記金属枠構成部の上部に形成され、
前記通気用採光窓部は、前記通気口を閉じた状態から、上端部が下端部を支点にして玄関室の内方に６０度以内の角度で回動することで当該通気口を開くように構成されていることを特徴とする請求項６に記載の集合住宅における各住戸の玄関の構造。
【請求項８】
前記金属枠構成部の外面側には、前記通気口を介して小物体が玄関室内に侵入するのを防止する網戸が当該通気口を覆うように設けられていることを特徴とする請求項６又は７に記載の集合住宅における各住戸の玄関の構造。
【請求項９】
前記金属枠構成部の内面側には、前記ガラス板に対応する部分に対して開閉が可能なように構成され、閉じた際に当該ガラス板を透過する光による視認を防止するカバーが設けられていることを特徴とする請求項１〜８の何れかに記載の集合住宅における各住戸の玄関の構造。
【発明の詳細な説明】
【技術分野】
【０００１】
本発明は、耐火建築物からなる集合住宅における各住戸の玄関の構造に関する。
【背景技術】
【０００２】
耐火建築物からなる集合住宅における各住戸の玄関の構造において、その玄関ドアは、消防法の関係で、建築基準法で定められる特定防火設備の規定に準ずるものになっている。このため、当該玄関ドアは、骨組みを鉄製として両面にそれぞれの厚さが０．５ｍｍ以上の鉄板を張った防火ドアとすることが多い。この場合、その防火ドアとしての玄関ドアには、明かりとり用の窓、即ち採光窓を設けることは許されない。
【０００３】
一方、玄関部外壁には、玄関ドアとは別体のもので構成することにより採光窓を設けることが可能である。これにより、玄関ドアを閉じた状態でも採光窓から玄関室内に外光を取り入れることができる。
【発明の概要】
【発明が解決しようとする課題】
【０００４】
しかしながら、上記従来の集合住宅における各住戸の玄関の構造においては、上述した採光窓が玄関ドアとは別体の分かれた状態となって表れることから、玄関ドアと採光窓とが一体的でコンパクトなすっきりした形状を呈するものが存在していなかった。
【０００５】
本発明は、上記事情に鑑みてなされたものであり、玄関ドアと採光窓とが一体的でかつコンパクトなすっきりした形状を呈することになる集合住宅における各住戸の玄関の構造を提供することを課題としている。
【課題を解決するための手段】
【０００６】
上記課題を解決するために、請求項１に記載の発明は、耐火建築物からなる集合住宅における各住戸の玄関の構造であって、前記各住戸の玄関室に対応する玄関部外壁には、入出用開口部と、採光用開口部が設けられ、前記入出用開口部と前記採光用開口部とは、水平方向に所定の間隔をおいて隣接して設けられ、前記入出用開口部には、鉄板を用いた玄関ドアが設置され、前記採光用開口部には、採光用のガラス板及び金属枠構成部を有する採光窓が設置されており、前記玄関部外壁における内面側には、前記玄関ドアと前記採光窓との間に、当該玄関ドアと採光窓とが一体的な形状を呈することとなるように形成された化粧板が設置されていることを特徴としている。
【０００７】
請求項２に記載の発明は、請求項１に記載の発明において、前記玄関ドアが、前記入出用開口部の内縁部に沿うように設置されたドア枠に取り付けられ、前記採光窓が、前記採光用開口部の内縁部に沿うように設置された支持枠に取り付けられ、前記ドア枠の垂直部材の一方と前記支持枠の垂直部材の一方とが隣接しており、前記玄関部外壁における内面側には、隣接する前記ドア枠の垂直材と前記支持枠の垂直部材に前記化粧板が設置されており、前記玄関部外壁における外面側には、隣接する前記ドア枠の垂直材と前記支持枠の垂直部材に前記化粧板が設置されていないことを特徴としている。
【０００８】
請求項３に記載の発明は、請求項１又は２に記載の発明において、前記化粧板は、金属板によって形成されていることを特徴としている。
【０００９】
請求項４に記載の発明は、請求項１〜３の何れかに記載の発明において、前記ガラス板は、板状ガラス素材の間に樹脂製フィルムが挟み込まれ、玄関室内への視認性を制限すべく透明性が低減された防火・防犯合せ複層ガラス板が用いられていることを特徴としている。
【００１０】
請求項５に記載の発明は、請求項１〜４の何れかに記載の発明において、前記ガラス板は、前記金属枠構成部に直接的に設けられていることを特徴としている。
【００１１】
請求項６に記載の発明は、請求項１〜５の何れかに記載の発明において、前記金属枠構成部には、通気口が形成され、前記採光窓は、前記通気口を開閉する通気用採光窓部が備えられた構成になっており、前記ガラス板は、前記通気用採光窓部に設けられることにより、前記金属枠構成部に間接的に設けられていることを特徴としている。
【００１２】
請求項７に記載の発明は、請求項６に記載の発明において、前記通気口は、上記金属枠構成部の上部に形成され、前記通気用採光窓部は、前記通気口を閉じた状態から、上端部が下端部を支点にして玄関室の内方に６０度以内の角度で回動することで当該通気口を開くように構成されていることを特徴としている。
【００１３】
請求項８に記載の発明は、請求項６又は７に記載の発明において、前記金属枠構成部の外面側には、前記通気口を介して小物体が玄関室内に侵入するのを防止する網戸が当該通気口を覆うように設けられていることを特徴としている。
【００１４】
請求項９に記載の発明は、請求項１〜８の何れかに記載の発明において、前記金属枠構成部の内面側には、前記ガラス板に対応する部分に対して開閉が可能なように構成され、閉じた際に当該ガラス板を透過する光による視認を防止するカバーが設けられていることを特徴ととしている。
【発明の効果】
【００１５】
請求項１に記載の発明によれば、玄関部外壁における内面側における玄関ドアと採光窓との間に、当該玄関ドアと採光窓とが一体的な形状を呈することとなるように形成された化粧板が設置されているので、玄関ドアと採光窓とを一体的でかつコンパクトなすっきりした形状を呈するものにすることができる。
即ち、玄関部外壁の内面側に化粧板を設けた場合には玄関ドア及び採光窓の玄関室内からの内観が一体的でかつコンパクトなすっきりした形状となる。

【００１６】
さらに、入出用開口部と採光用開口部とが水平方向に所定の間隔をおいて隣接して設けられていることから、玄関ドアと採光窓も水平方向に所定の間隔をおいて隣接した状態になるので、化粧板によって、玄関ドア及び採光窓をより一体的でかつコンパクトなすっきりした形状を呈するものにすることができる。
【００１７】
しかも、入出用開口部と採光用開口部とを近接させることで、玄関ドアと採光窓との一体感をより増すことができると共に、採光窓の側方に玄関部外壁による比較的幅の広い袖壁を得ることができる。このため、その袖壁に沿うように下足入れ等の玄関家具を設けることができるので、当該玄関家具によってガラス板からの採光が遮られるのを防止することができるという利点がある。

【００１８】
請求項２に記載の発明によれば、ドア枠の垂直部材の一方と支持枠の垂直部材の一方とが隣接しており、玄関部外壁における内面側には、隣接するドア枠の垂直材と支持枠の垂直部材に化粧板が設置されており、玄関部外壁における外面側には、隣接するドア枠の垂直材と支持枠の垂直部材に化粧板が設置されていないので、内側からだとドア枠と支持枠とが化粧板で隠れて見えないため美感を損なわず、外側からだとドア枠と支持枠とが露出しているため各々別体であることを把握し易く消防法上支障がない。
【００１９】
請求項３に記載の発明によれば、化粧板が金属板によって形成されているので、その金属板のもつ素材そのものの色、艶、ヘヤーライン等の加工模様、質感等の特性により、当該化粧板を、玄関ドアの表面部及び金属枠構成部の表面部の一方又は双方と一体感をなすようにすることができる。
【００２０】
また、化粧板に対して種々の色、艶、模様、質感等となるような表面処理をすることにより、当該化粧板を、玄関ドアの表面部及び金属枠構成部の表面部の一方又は双方と一体感をなすようにすることもできる。従って、玄関ドア及び採光窓をより一体的でかつコンパクトなすっきりした形状を呈するものにすることができる。
【００２１】
なお、表面処理としては、金属板に対して種々の色、艶、模様、質感等に処理する各種塗装、各種印刷、各種めっき、各種アルマイト処理、各種ラミネート加工等がある。また、金属板としては、鉄板、アルミニウム板、ステンレス鋼板等がある。
【００２２】
請求項４に記載の発明によれば、ガラス板として、板状ガラス素材の間に樹脂製フィルムを挟み、玄関内方への視認性を制限すべく透明性を低減した防火・防犯合せ複層ガラス板を用いているので、防火・防犯に関する対策を十分にとりながら、玄関内への外光の取入れを可能にすることができる。
【００２３】
請求項５に記載の発明によれば、ガラス板が金属枠構成部に直接的に設けられているので、当該ガラス板を金属枠構成部に確実に固定することができ、防犯対策を確実に図ることができる。
【００２４】
請求項６に記載の発明によれば、金属枠構成部には通気口が形成され、採光窓は通気口を開閉する通気用採光窓部が備えられた構成になっており、ガラス板が通気用採光窓部に設けられることで、金属枠構成部に間接的に設けられているので、通気用採光窓部によって玄関室内の換気を必要に応じて行うことができると共に、当該通気用採光窓部を介して玄関室に外光を取り入れることができる。
【００２５】
なお、ガラス板を通気用採光窓部にのみ設けるように構成した場合には、当該通気用採光窓部及び通気口を金属枠構成部の上部に配置することにより、防犯対策になると共に、上部から取り入れた外光によって玄関室内を効率よく明るくすることができる。しかも、通気用採光窓部が上部にあることから、玄関室に下足入れ等の玄関家具を設けた場合でも、採光や通気を遮ることがないという利点もある。
【００２６】
また、ガラス板を金属枠構成部に直接的に設け、かつ通気用採光窓部にも設けるように構成した場合には、防犯対策を図りながら、広い面積のガラス板により玄関室内に多くの外光を取り入れることができるという利点がある。
【００２７】
請求項７に記載の発明によれば、通気口が金属枠構成部の上部に形成され、通気用採光窓部は、通気口を閉じた状態から、その上端部がその下端部を支点にして玄関内方に６０度以内の角度で回動することで通気口を開口するように構成しているので、その通気口の部分に関する防犯対策を十分にとることができる。
【００２８】
請求項８に記載の発明によれば、金属枠構成部の外面側に、通気口を介して小物体が玄関室内に侵入するのを防止する網戸を設けているので、虫等の小動物を始めとして空中を飛散する小さな物体が玄関室内に入るのを防止することができる。
【００２９】
請求項９に記載の発明によれば、金属枠構成部の内面側に、ガラス板に対応する部分に対して開閉が可能に構成され、閉じた際に当該ガラス板を透過する光による視認を防止するカバーが設けられているので、外からの玄関室内の視認を必要に応じて確実に防止することができる。
【図面の簡単な説明】
【００３０】
【図１】本発明の第１実施例として示した集合住宅における各住戸の玄関の構造に関する図であって、（ａ）は玄関ドア及び採光窓が設置された玄関部外壁について玄関室の内方から投視した要部内面図であり、（ｂ）は化粧板を設置していない状態の同要部内面図である。
【図２】同集合住宅における各住戸の玄関の構造に関する図であって、（ａ）は玄関ドア及び採光窓が設置された玄関部外壁について玄関室の外方から投視した要部外面図であり、（ｂ）は化粧板を設置していない状態の同要部外面図である。
【図３】同集合住宅における各住戸の玄関の構造を示す図であって、図１のIII-III線に沿う断面図である。
【図４】同集合住宅における各住戸の玄関の構造を備えた玄関室及びその玄関室に隣接する部屋の要部を示す各住戸の要部平面図である。
【図５】本発明の第２実施例として示した集合住宅における各住戸の玄関の構造に関する図であって、（ａ）は第１の例として示した玄関部外壁の要部内面図であり、（ｂ）は第２の例として示した玄関部外壁の要部内面図であり、（ｃ）は第３の例として示した玄関部外壁の要部内面図である。
【図６】本発明の第３実施例として示した集合住宅における各住戸の玄関の構造に関する図であって、（ａ）はカバーでガラス板に対応する部分を閉じた状態を示す玄関部外壁の要部内面図であり、（ｂ）は同カバーでガラス板に対応する部分を開いた状態を示す玄関部外壁の要部内面図である。
【発明を実施するための形態】
【００３１】
本発明を実施するための形態を実施例に基づいて詳細に説明する。
【００３２】
まず、この発明の第１実施例について図１〜図４を参照して説明する。この第１実施例で示す集合住宅における各住戸の玄関の構造１は、図１〜図４に示すように、集合住宅１００を構成する外壁１０１のうち各住戸１０２の玄関室１０２ａに対応する位置の玄関部外壁２に、玄関ドア３を設置するための入出用開口部２ａと、採光窓４を設置するための採光用開口部２ｂを設けている。そして、玄関部外壁２における外面側及び内面側の少なくとも一方の面側（この例では双方の面側）には、玄関ドア３と採光窓４との間に、これらの玄関ドア３と採光窓４とが一体的な形状を呈することとなるように形成された化粧板５（図１（ａ）及び図２（ａ）においてハッチングを付して示す部材）が設置されている。
【００３３】
集合住宅１００は、図４に示すように、鉄筋コンクリート造の耐火建築物によって構成され、各住戸１０２が共用廊下１０３に沿うように配置されている。各住戸１０２は、その玄関室１０２ａが共用廊下１０３に面した位置に配置されている。なお、各住戸１０２内は、玄関室１０２ａに連続するようにして室内廊下１０２ｂが配置され、玄関室１０２ａ及び室内廊下１０２ｂの左右に居室１０２ｃ、１０２ｄが配置された構成になっている。
【００３４】
外壁１０１は、この例では各住戸１０２内と共用廊下１０３とを仕切る位置に配置されたものを示している。玄関部外壁２は、外壁１０１のうち玄関室１０２ａに対応する部分の外壁に相当する。
【００３５】
入出用開口部２ａ及び採光用開口部２ｂは、いずれも図１及び図２に示すように、玄関部外壁２において四角形状に開口するように形成されたものであり、それぞれの四角形の各辺が水平方向又は垂直方向を向くように形成されている。また、入出用開口部２ａと採光用開口部２ｂとは、水平方向に所定の間隔をおいて平行に隣接して形成されていると共に、同等の高さとなるように形成されている。なお、この例では、入出用開口部２ａと採光用開口部２ｂとは、その間隔ができる限り狭められた近接した状態に構成されている。また、採光用開口部２ｂは、入出用開口部２ａに比べて水平方向の幅が狭く形成されており、全体的に上下方向に細長い形状のものとなっている。これにより、採光窓４の側方には、玄関部外壁２による比較的幅の広い袖壁が構成されるようになっており、その袖壁に対応する部位に下足入れ等の玄関家具（図示せず）を設けることが可能なスペースが確保されている。
【００３６】
玄関ドア３は、玄関室１０２ａの内外に位置する各表面板及び４つの側面板が０．５ｍｍ以上の鉄板によって構成され、その内部に鉄製の骨組みや断熱材等を備えた構成になっている。この玄関ドア３は、入出用開口部２ａの内縁部に沿うように四角形状あるいは門形状に構成されたドア枠３１を設置した上で、このドア枠３１に取り付けられるようになっている。この場合、ドア枠３１は、上部水平部材３１ａと、この上部水平部材３１ａの長手方向の各端部に連結された左右の垂直部材３１ｂ、３１ｃとを少なくとも備えた構成になっている。そして、玄関ドア３は、図２に示すように、一方の垂直部材３１ｂにヒンジ３２を介して取り付けられている。
【００３７】
採光窓４は、図１〜図３に示すように、採光用のガラス板４１及び金属枠構成部４２を少なくとも有する構成になっており、この例では更に通気用採光窓部４３を備えた構成になっている。ガラス板４１としては、金属枠構成部４２に直接的に設けられた第１のガラス板４１１と、通気用採光窓部４３に設けられることによって金属枠構成部４２に間接的に設けられた第２のガラス板４１２を有する構成になっている。
【００３８】
金属枠構成部４２は、上下に長い四角形の枠状に形成されており、その上下方向の中部から下部にかかる位置に第１のガラス板４１１を設置するための上下に長い四角形状の開口部４２ａが形成され、上部の位置に四角形状の通気口４２ｂが形成されている。第１のガラス板４１１はその周縁部が金属枠構成部４２に気密かつ確実に固定されるようになっている。
【００３９】
通気用採光窓部４３は、金属枠構成部４２における通気口４２ｂを開閉すべく構成されたものであり、第２のガラス板４１２及び金属製の開閉枠部４３ａを備えた構成になっている。開閉枠部４３ａは、金属枠構成部４２の通気口４２ｂに嵌り込むことで当該通気口４２ｂを閉塞することが可能なように四角形の枠状に形成されていると共に、第２のガラス板４１２の周縁部を気密かつ確実に固定するようになっている。
【００４０】
更に、開閉枠部４３ａは、図３に示すように、下端部がヒンジ４３ｂによって金属枠構成部４２に回動自在に連結されており、金属枠構成部４２の通気口４２ｂを完全に閉じた状態の位置から、その上端部が下端部のヒンジ４３ｂを支点にして玄関室１０２ａ内に入る方向に所定角度θ回動することで、当該通気口４２ｂを開口するようになっている。開閉枠部４３ａの回動可能角度θは６０度である。但し、この回動可能角度θは、１５度から６０度の何れかの角度に設定してもよい。
【００４１】
また、開閉枠部４３ａは、図１に示すように、金属枠構成部４２の通気口４２ｂを完全に閉じた状態の位置において、締め金具４３ｃによって当該金属枠構成部４２に確実に固定されるようになっている。即ち、通気用採光窓部４３は、金属枠構成部４２の通気口４２ｂを閉じた状態に確実に固定することが可能になっている。
【００４２】
第１及び第２のガラス板４１１、４１２として示したガラス板４１は、硬質で耐熱性のある板状ガラス素材の間に樹脂製フィルムが挟み込まれ、玄関室１０２ａ内への視認性を制限すべく青色等の着色により透明性が低減された防火・防犯合せ複層ガラス板によって構成されている。
【００４３】
更に、金属枠構成部４２の外面側には、図２及び図３に示すように、通気口４２ｂを介して小物体が玄関室１０２ａ内に侵入するのを防止する網戸４４が当該通気口４２ｂを覆うように設けられている。網戸４４は、金属枠構成部４２に対して確実に固定されるようになっているが、必要に応じて当該金属枠構成部４２から外すことが可能になっている。
【００４４】
また、上述した金属枠構成部４２、開閉枠部４３ａ、網戸４４の枠は、素材色あるいは所定の色に着色されたアルミサッシによって構成されている。
【００４５】
そして、採光窓４は、図１〜図３に示すように、採光用開口部２ｂの内縁部に沿うように四角形状あるいは門形状に形成された支持枠４５を設置した上で、この支持枠４５に金属枠構成部４２の周縁部が固定さるようになっている。この場合、支持枠４５は、上部水平部材４５ａと、この上部水平部材４５ａの長手方向の各端部に連結された左右の垂直部材４５ｂ、４５ｃとを少なくとも備えた構成となっている。
【００４６】
また、ドア枠３１と支持枠４５は、図１（ｂ）及び図２（ｂ）に示すように、上部水平部材３１ａ、４５ａが同等の高さ位置となるように形成されており、これらの上部水平部材３１ａ、４５ａが水平中間部材３０を介して一体的に連結されている。これにより、玄関ドア３及び採光窓４は、上部水平部材３１ａ、４５ａ及び水平中間部材３０からなる水平部材と、ドア枠３１における一の垂直部材３１ｂと、支持枠４５における一の垂直部材４５ｃとによって、門形状に縁取りされた状態になるようになっている。
【００４７】
化粧板５は、当該化粧板５に隣接する採光窓４における金属枠構成部４２の表面部と同等の色に着色された上下に長い四角形状のアルミニウム板（金属板）によって形成されている。即ち、化粧板５は、玄関ドア３と金属枠構成部４２との間の水平方向の寸法とほぼ等しい幅寸法を有し、玄関ドア３や金属枠構成部４２の上下方向の寸法とほぼ等しい高さ高さ寸法を有するほぼ四角形状の板状に形成されている。この化粧板５は、玄関部外壁２における外面側及び内面側の双方の面側において、例えば、ドア枠３１の垂直部材３１ｃ及びこれに隣り合う支持枠４５の垂直部材４５ｂ等に接着その他の固定手段により固定されるようになっている。
【００４８】
上記のように構成された集合住宅における各住戸の玄関の構造１においては、玄関部外壁２における外面側及び内面側の双方の面側における玄関ドア３と採光窓４との間に、当該玄関ドア３と採光窓４とが一体的な形状を呈することとなるように形成された化粧板５が設置されているので、その双方の面側における玄関ドア３と採光窓４とを一体的でかつコンパクトなすっきりした形状を呈するものにすることができる。
【００４９】
また、入出用開口部２ａと採光用開口部２ｂとが水平方向に所定の間隔をおいて平行に隣接して設けられていることから、玄関ドア３と採光窓４も水平方向に所定の間隔をおいて隣接した状態になるので、化粧板５によって、玄関ドア３及び採光窓４をより一体的でかつコンパクトなすっきりした形状を呈するものにすることができる。
【００５０】
しかも、入出用開口部２ａと採光用開口部２ｂとが近接した状態に構成され、採光用開口部２ｂが水平方向に幅の狭いもので構成されていることから、採光窓４の側方に玄関部外壁２による比較的幅の広い袖壁を構成することができ、その袖壁に沿う部位に下足入れ等の玄関家具を設置するスペースを確保することができる。従って、そのスペースに玄関家具を設置した場合でも、当該玄関家具によって第１及び第２のガラス板４１１、４１２からの採光や、通気用採光窓部４３からの通風が遮られるのを防止することができる。
【００５１】
更に、化粧板５が金属枠構成部４２の表面部と同等の色に着色されたアルミニウム板によって形成されているので、当該化粧板５を金属枠構成部４２とより一体的な感覚のものにすることができる。従って、玄関ドア３及び採光窓４を更に一体的でかつコンパクトなすっきりした形状感を呈するものにすることができる。
【００５２】
しかも、玄関ドア３及び採光窓４が上部水平部材３１ａ、４５ａ、水平中間部材３０、一の垂直部材３１ｂ及び一の垂直部材４５ｃとによって、門形状に縁取りされた状態になることからも、玄関ドア３及び採光窓４を一体的でかつコンパクトなすっきりした形状感覚を呈するものにすることができる。
【００５３】
一方、ガラス板４１（第１のガラス板４１１及び第２のガラス板４１２）を、硬質で耐熱性のある板状ガラス素材の間に樹脂製フィルムが挟み込まれ、玄関室１０２ａ内への視認性を制限すべく青色等の着色により透明性が低減された防火・防犯合せ複層ガラス板で構成しているので、防火・防犯に対する対策を十分にとりながら、玄関室１０２ａ内への十分な採光の取入れを可能にすることができる。
【００５４】
また、採光窓４が金属枠構成部４２の上部に形成された通気口４２ｂを開閉する通気用採光窓部４３を備えているので、玄関室１０２ａ内の換気を必要に応じて行うことができるという利点がある。また、仮に玄関家具等によって下方の第１のガラス板４１１が遮られた状態になったとしても、上部に設けた通気用採光窓部４３による上方からの採光によって玄関室１０２ａを効率良く明るくすることができると共に、当該通気用採光窓部４３を介した通風を確保することができるという利点がある。
【００５５】
しかも、通気用採光窓部４３はその上端部がその下端部を支点にして玄関内方に６０度以内の角度で回動することで通気口４２ｂを開口するように構成しているので、その通気口４２ｂを介して人等が侵入するのを確実に防止することができる。
【００５６】
更に、金属枠構成部４２の外面側に、通気口４２ｂを介して小物体が玄関室１０２ａ内に侵入するのを防止する網戸４４を設けているので、虫等の小動物を始めとして空中を飛散する小さな物体が玄関室１０２ａ内に入るのを防止することができる。
【００５７】
なお、上記第１実施例においては、化粧板５について、金属枠構成部４２の表面部と同等の色に着色されたアルミニウム板によって形成した例を示したが、この化粧板５は、所定の金属板のもつ素材そのものの色、艶、ヘヤーライン等の加工模様、質感等の特性により、玄関ドア３の表面部や、金属枠構成部４２の表面部の一方又は双方と一体感をなすように構成したものであってもよい。
【００５８】
また、化粧板５は、種々の色、艶、模様、質感等となるような表面処理をすることにより、当該化粧板５を、玄関ドア３の表面部や、金属枠構成部の表面部の一方又は双方と一体感をなすように構成したものであってもよい。このように化粧板５として種々の形態のものを採用することにより、玄関ドア３及び採光窓４をより一体的でかつコンパクトなすっきりした形状を呈するものにすることが可能になる。
【００５９】
一方、表面処理としては、金属板に対して種々の色、艶、模様、質感等に処理する各種塗装、各種印刷、各種めっき、各種アルマイト処理、各種ラミネート加工等を用いることが可能である。また、化粧板５としては、アルミニウム板のほか、鉄板、ステンレス鋼板等の金属板を用いてもよい。
【００６０】
また、上記第１実施例においては、採光用開口部２ｂに支持枠４５を設けた上で、当該支持枠４５に金属枠構成部４２を固定するように構成したが、この金属枠構成部４２は、支持枠４５を設けることなく玄関部外壁３に直接固定することで、採光用開口部２ｂに設置するように構成してもよい。
【００６１】
更に、上記第１実施例においては、玄関部外壁２の外面側及び内面側の双方の面側に化粧板５を設けるように構成したが、玄関部外壁２の一方の面側にのみ化粧板５を設けるように構成してもよい。この場合には、一方の面側の玄関ドア３及び採光窓４の形態が一体的でかつコンパクトなすっきりした形状を呈するものになる。
【００６２】
次に、この発明の第２実施例について図５を参照して説明する。但し、第１実施例で示した構成要素と共通する要素には同一の符号を付し、その説明を簡略化する。
【００６３】
この第２実施例が第１実施例と異なる点は、採光窓４が通気用採光窓部４３を備えていない点である。
【００６４】
即ち、図５（ａ）は、この第２実施例の第１の例として示したものであり、金属枠構成部４２は、その上下方向のほぼ中部から下部にかかる位置に上下に長い四角形状の開口部４２ａが形成され、上部の位置には四角形状の開口部４２ｃが形成されている。そして、ガラス板４１としての第１のガラス板４１１は、一方の開口部４２ａに嵌め込まれた状態で、その周縁部が金属枠構成部４２に気密かつ確実に固定され、ガラス板４１としての第３のガラス板４１３は、他方の開口部４２ｃに嵌め込まれた状態で、その周縁部が金属枠構成部４２に気密かつ確実に固定されている。
【００６５】
図５（ｂ）は、この第２実施例の第２の例として示したものであり、金属枠構成部４２は、その下部の位置に四角形状の開口部４２ｄが形成され、上下方向のほぼ中部から上部にかかる位置に上下に長い四角形状の開口部４２ｅが形成されている。そして、ガラス板４１としての第４のガラス板４１４は、一方の開口部４２ｄに嵌め込まれた状態で、その周縁部が金属枠構成部４２に気密かつ確実に固定され、ガラス板４１としての第５のガラス板４１５は、他方の開口部４２ｅに嵌め込まれた状態で、その周縁部が金属枠構成部４２に気密かつ確実に固定されている。
【００６６】
図５（ｃ）は、この第２実施例の第３の例として示したものであり、金属枠構成部４２は、その下部から上部にかかる上下に長い四角形状の一の開口部４２ｆが形成されている。そして、ガラス板４１としての第６のガラス板４１６は、開口部４２ｆに嵌め込まれた状態で、その周縁部が金属枠構成部４２に気密かつ確実に固定されるようになっている。
【００６７】
上記のように構成された第２実施例の第１から第３の例においても、化粧板５によって、玄関ドア３及び採光窓４を一体的でかつコンパクトなすっきりした形状感を呈するものにすることができる。しかも、第３〜第６のガラス板４１３〜４１６によって玄関室１０２ａ内への十分な採光を得ることができる。
【００６８】
次に、この発明の第３実施例について図６を参照して説明する。但し、第１実施例で示した構成要素と共通する要素には同一の符号を付し、その説明を簡略化する。
【００６９】
この第３実施例が第１実施例と異なる点は、金属枠構成部４２の内面側に、ガラス板４１に対応する部分に対して開閉が可能に構成され、閉じた際に当該ガラス板４１を透過する光による視認を防止するカバー６が設けられている点である。
【００７０】
即ち、カバー６としての第１のカバー６１がガラス板４１としての第１のガラス板４１１に対応する部分に対して開閉が可能なようにヒンジ６ａを介して金属枠構成部４２の内面に設けられている。また、カバー６としての第２のカバー６２がガラス板４１としての第２のガラス板４１２に対応する部分に対して開閉が可能なようにヒンジ６ａを介して金属枠構成部４２の内面に設けられている。
【００７１】
第１のカバー６１は、第１のガラス板４１１の全体が内側に入るような広がりを有する四角形の板状に形成されており、縦方向の一方の側縁部が複数（この例では３つ）のヒンジ６ａによって金属枠構成部４２に回動自在に連結され、縦方向の他方の側縁部が締め金具６ｂによって金属枠構成部４２に固定可能に構成されている。締め金具６ｂは、第１のガラス板４１１を第１のカバー６１で閉じた際に、当該第１のカバー６１をその閉じた状態に確実に保持固定するようになっている。
【００７２】
一方、第２のカバー６２は、第２のガラス板４１２の全体が内側に入るような広がりを有する四角形の板状に形成されており、縦方向の一方の側縁部が複数（この例では２つ）のヒンジ６ａによって金属枠構成部４２に回動自在に連結され、縦方向の他方の側縁部が締め金具６ｂによって金属枠構成部４２に固定可能に構成されている。この場合の締め金具６ｂも、第２のガラス板４１２を第２のカバー６２で閉じた際に、当該第２のカバー６２を閉じた状態に確実に保持固定するようになっている。
【００７３】
そして、第１及び第２のカバー６１、６２は、鉄、ステンレス鋼、アルミニウム等の金属や、プラスチック、木材等の不透明な材料によって形成されている。
【００７４】
上記のように構成された第３実施例においては、金属枠構成部４２の内面側に、ガラス板４１としての第１及び第２のガラス板４１１、４１２のそれぞれに対応するようにカバー６としての第１及び第２のカバー６１、６２が設けられ、これらのカバー６１、６２が各ガラス板４１１、４１２に対して開閉可能になっていると共に、当該各ガラス板４１１、４１２を透過する光による視認を防止する不透明なもので構成されているので、各ガラス板４１１、４１２を通した玄関室１０２ａ内の視認を必要に応じて確実に防止することができる。
【符号の説明】
【００７５】
１  各住戸の玄関の構造
１０２  住戸
１０２ａ  玄関室
２  玄関部外壁
２ａ  入出用開口部
２ｂ  採光用開口部
３  玄関ドア
４  採光窓
４１  ガラス板
４１１  第１のガラス板
４１２  第２のガラス板
４１３  第３のガラス板
４１４  第４のガラス板
４１５  第５のガラス板
４１６  第６のガラス板
４２  金属枠構成部
４２ｂ  通気口
４３  通気用採光窓部
４３ａ  開閉枠部
４３ｂ  ヒンジ
４４  網戸
５  化粧板
６  カバー
６１  第１のカバー
６２  第２のカバー
【図１】
0006506543.tif 000002
【図２】
0006506543.tif 000003
【図３】
0006506543.tif 000004
【図４】
0006506543.tif 000005
【図５】
0006506543.tif 000006
【図６】
0006506543.tif 000007